(57)【要約】【課題】ヒートショック対策として居室外の空調を階段の利用によって効果的に行う屋内空調システムを提供する。【解決手段】屋内空調システムは、家屋内の階段１の下空間であるシステム使用空間１０に置かれた空調機２と、上記階段１の蹴込み板１１に形成された空気入口１２および空気出口１３と、上記階段１の下空間であるシステム使用空間１０を、上記空気入口１２と上記空調機２の吸気口２１とが位置する第１の空間１４と、上記空気出口１３と上記空調機２の吹出口２２とが位置する第２の空間１５とに仕切る仕切り板１６とを備えている。【選択図】図１
2014136905.tif 000002
【特許請求の範囲】
【請求項１】
家屋内の階段の下空間に置かれた空調機と、
上記階段の蹴込み板または踏み板に形成された空気入口および空気出口と、
上記階段の下空間を、上記空気入口と上記空調機の吸気口とが位置する第１の空間と、上記空気出口と上記空調機の吹出口とが位置する第２の空間とに仕切る仕切り板とを備えたことを特徴とする屋内空調システム。
【請求項２】
請求項１に記載の屋内空調システムにおいて、上記第１の空間と上記第２の空間は、上記仕切り板によって、上下に仕切られていることを特徴とする屋内空調システム。
【請求項３】
請求項１または請求項２に記載の屋内空調システムにおいて、上記階段の蹴込み板または踏み板に形成された空気入口および空気出口は、上記階段の蹴込み板または踏み板に形成された開口および視線上の障壁となる板部からなることを特徴とする屋内空調システム。
【請求項４】
請求項１〜請求項３のいずれか１項に記載の屋内空調システムにおいて、上記仕切り板を取り外せるようにしたことを特徴とする屋内空調システム。
【発明の詳細な説明】
【技術分野】
【０００１】
この発明は、屋内を空調する屋内空調システムに関する。
【背景技術】
【０００２】
特許文献１には、外気を家屋の床下から階段の下空間に取り入れ、この取り入れた外気を上記階段の蹴込み板に形成された開口部を通じて屋内に導入する空調システムが開示されている。
【０００３】
また、特許文献２には、外気を家屋の側壁から階段の下空間に取り入れ、この取り入れた外気を上記階段の蹴込み板や踊り場に形成された開口部を通じて屋内に導入する空調システムが開示されている。
【先行技術文献】
【特許文献】
【０００４】
【特許文献１】特開２０１２−８７４８７号公報
【特許文献２】特開２００４−７６９９３号公報
【発明の概要】
【発明が解決しようとする課題】
【０００５】
しかしながら、上記いずれの空調システムも、外気を取り込むことによって換気を行うものであり、いわゆるヒートショック対策として居室外の空調を効果的に行うものではなかった。
【０００６】
この発明は、上記の事情に鑑み、ヒートショック対策として居室外の空調を階段の利用によって効果的に行う屋内空調システムを提供することを課題とする。
【課題を解決するための手段】
【０００７】
この発明の屋内空調システムは、上記の課題を解決するために、家屋内の階段の下空間に置かれた空調機と、上記階段の蹴込み板または踏み板に形成された空気入口および空気出口と、上記階段の下空間を、上記空気入口と上記空調機の吸気口とが位置する第１の空間と、上記空気出口と上記空調機の吹出口とが位置する第２の空間とに仕切る仕切り板とを備えたことを特徴とする。
【０００８】
上記の構成であれば、上記空調機が上記家屋内の階段の下空間に置かれるので、居住者の階段使用に何ら支障を与えない。そして、屋内の空気を上記空調機が取り込み、調整した空気を屋内に戻すので、階段や廊下などの空間の室温を居室の室温に近づけることが効率的に行えるようになる。すなわち、ヒートショック対策として居室外の空調を上記階段の利用によって効果的に行うことができる。また、階段の下空間を、上記空気入口と上記空調機の吸気口とが位置する第１の空間と、上記空気出口と上記空調機の吹出口とが位置する第２の空間とに仕切るので、当該階段の下空間内で調整空気が循環するショートサーキットを防止できる。
【０００９】
上記第１の空間と上記第２の空間は、上記仕切り板によって、上下に仕切られていてもよい。これによれば、例えば、冬期において階段の上側の空気を上記仕切り板の上側となる上記第１の空間に取り込み、この取り込んだ空気を上記空調機で温め、この温めた空気を上記仕切り板の下側となる上記第２の空間から階段の下側に戻すことができ、効果的な居室外暖房が行えるようになる。
【００１０】
上記階段の蹴込み板または踏み板に形成された空気入口および空気出口は、上記階段の蹴込み板または踏み板に形成された開口および視線上の障壁となる板部からなっていてもよい。これによれば、居住者の階段の使用に際して階段の上側から階段の下空間が見えてしまうのを極力防止することができる。
【００１１】
上記仕切り板を取り外せるようにしてもよい。これによれば、上記屋内空調システムのメンテナンスが容易に行える。
【発明の効果】
【００１２】
本発明の屋内空調システムであれば、ヒートショック対策として居室外の空調を階段の利用によって効果的に行えるという効果を奏する。
【図面の簡単な説明】
【００１３】
【図１】本発明の実施形態の屋内空調システムを示した側面視の説明図である。
【図２】図１の屋内空調システムにおける階段の構造例を示した説明図である。
【図３】図２の階段の蹴込み板を示した図であり、同図（Ａ）は開口板を示した正面図であり、同図（Ｂ）は遮り板を示した正面図であり、同図（Ｃ）は開口板と遮り板を向かい合わせた状態の正面図である。
【図４】図１の階段の他の構造例を示した説明図である。
【図５】図４の階段の正面側を示した説明図である。
【図６】図１の階段の他の構造例を示した説明図である。
【図７】図１の屋内空調システムにおける仕切り板を例示した図であり、同図（Ａ）は斜視図であり、同図（Ｂ）は側面視の説明図、同図（Ｃ）は折り畳んだ状態の説明図である。
【発明を実施するための形態】
【００１４】
以下、この発明の実施の形態を添付図面に基づいて説明する。
図１に示すように、この実施形態では、家屋内の階段１の下空間が、屋内空調システムで使用するシステム使用空間１０と、階段下収納部２０とに区分されている。上記システム使用空間１０は、上記階段下収納部２０を形成する階段部よりも下側の階段部を利用して閉状態に設けられている。なお、図１では、階段１の側壁板を省略して示しており、また、上記側壁板には階段の下空間への出入りのための扉が設けられる。或いは、階段１の側部にカーテンなどを配置することでも上記システム使用空間１０を閉状態に構築することができる。
【００１５】
そして、この実施形態の屋内空調システムは、上記階段１における上記システム使用空間１０内に置かれた空調機２と、上記階段１の蹴込み板１１に形成された空気入口１２と、上記蹴込み板１１に形成された空気出口１３と、上記使用空間１０を、上記空気入口１２と上記空調機２の吸気口２１とが位置する第１の空間１４と上記空気出口１３と上記空調機２の吹出口２２とが位置する第２の空間１５とに仕切る仕切り板１６とを備える。
【００１６】
上記空調機２は、室外機を持つ構成としてもよいが、この実施形態では、室外機を持たない構成としており、例えば内部に発熱セラミックや送風ファンを備え、上記吸気口２１から取り込んだ空気を温めて上記吹出口２２から吹き出すようになっている。
【００１７】
上記階段１の蹴込み板１１は、例えば、図２に示すように、開口板１１１と遮り板１１２とからなる。上記開口板１１１と遮り板１１２とは釘３によって下側の踏み板に固定される。上記開口板１１１には、図３（Ａ）に示すように、上記空気入口１２或いは上記空気出口１３となる開口１１１ａが複数形成されている。そして、上記遮り板１１２は、図３（Ｂ）に示すように、凸板部１１２ａを複数有している。上記凸板部１１２ａの形成ピッチは上記開口１１１ａの形成ピッチに一致しており、また、上記凸板部１１２ａの大きさは上記開口１１１ａよりも大きくされている。すなわち、上記空気入口１２および空気出口１３は、上記開口１１１ａを有する上記開口板１１１および視線上の障壁となる上記遮り板１１２からなっており、上記蹴込み板１１を正面側から見ると、図３（Ｃ）に示すように、上記開口１１１ａを通して上記凸板部１１２ａを見ることになる。
【００１８】
或いは、上記階段１の蹴込み板１１は、図４及び図５に示すように、開口板１１３と遮り板１１４とからなる。開口板１１３には、上記空気入口１２或いは上記空気出口１３となる開口１１３ａが形成されている。そして、上記遮り板１１４は、上記開口１１３ａにおいて間隔をあけて水平に配置される。すなわち、上記空気入口１２および空気出口１３は、上記開口１１１ａを有する上記開口板１１３および視線上の障壁となる上記遮り板１１４からなっており、上記蹴込み板１１を正面側から見ると、上記開口１１３ａ内に上記遮り板１１４を見ることになる。
【００１９】
また、図６に示すように、上記遮り板１１４を、上記開口１１３ａにおいて斜め状に配置してもよい。なお、階段１の最も下の段の蹴込み板１１において上記図４に示した構造を採用し、それ以外の蹴込み板１１において図６に示した構造を採用するようにしてもよい。
【００２０】
上記仕切り板１６は、例えば、図７に示すように、３枚の分割板部１６ａを有している。上記分割板部１６ａは例えばポリスチレンやポリカーボネートなどからなり、断熱性を有する。上記仕切り板１６は、折り畳めるように、上記３枚の分割板部１６ａが防湿シートや紙などの薄手の変形容易なシート１６ｂによって一体化されている。さらに、上記分割板部１６ａの縁には、例えば、緩衝性や柔軟性に優れた独立気泡構造を有するシート１６ｃが取り付けられており、階段１の壁面等と当該分割板部１６ａとの間にできる隙間を塞ぐことができるようにしている。
【００２１】
そして、上記仕切り板１６の一端側にはフック１６ｄが設けられており、上記階段１の裏に設けられた係止部１１ａ（図１参照）に上記仕切り板１６の一端側を掛けることができ、また、上記仕切り板１６の他端側は例えば磁石などによって上記空調機２の上端面に装着できるようになっている。すなわち、上記仕切り板１６を折り畳んで取り外せるようになっている。
【００２２】
上記の構成であれば、上記空調機２が上記家屋内の階段１の下空間に置かれるので、居住者の階段使用に何ら支障を与えない。そして、屋内の空気を上記空調機２が取り込み、調整した空気を屋内に戻すので、階段１や２階廊下などの空間の室温を居室の室温に近づけることが効果的に行えるようになる。すなわち、ヒートショック対策としての居室外の空調を上記階段１の利用によって効果的に行うことができる。また、上記階段１の下空間を、上記空気入口１２と上記空調機２の吸気口２１とが位置する第１の空間１４と上記空気出口１３と上記空調機２の吹出口２２とが位置する第２の空間１５とに仕切るので、当該階段１の下空間内で調整空気が循環するショートサーキットを防止することができる。
【００２３】
上記第１の空間１４と上記第２の空間１５とが上下に仕切られていると、例えば、冬期において、階段１の上側の空気を上記仕切り板１６の上側となる上記第１の空間１４に取り込み、この取り込んだ空気を上記空調機２で温め、この温めた空気を上記仕切り板１６の下側となる上記第２の空間１５から上記階段１の下側に戻すことができ、効果的な居室外暖房が行える。
【００２４】
ここで、リビング階段においては、階段部分でのコールドドラフトによって寒さを感じることがあるが、上記のように居室外暖房が行われることで、上記コールドドラフトも緩和できるようになる。
【００２５】
上記第１の空間１４と上記第２の空間１５を上下に仕切ることに限定するものではなく、左右に仕切ることも可能である。この左右仕切りの場合には、上記空調機２の吸気口２１と上記吹出口２２は左右に離間した配置になる。また、この左右仕切りの場合の仕切り板は、階段１に沿った段形状を備える。なお、先述の上下式の仕切りであれば、仕切り板１６の形状をシンプルにできる利点がある。
【００２６】
上記空気入口１２および上記空気出口１３が、上記蹴込み板１１に形成された開口（１１１ａ、１１３ａ）および視線上の障壁となる板部（遮り板１１２、１１４）からなっていると、居住者の階段の使用に際して、階段１の側から階段の下空間が見えてしまうのを防止することができる。なお、図６に示したように、上からの目線を遮るように上記遮り板１１４を傾斜させると、階段１の下空間を一層見えにくくできる。
【００２７】
上記仕切り板１６を取り外せるようにすると、上記階段１の下空間で屋内空調システムのメンテナンスが容易に行えるようになる。そして、上記仕切り板１６が折り畳み可能に構成されていると、上記仕切り板１６の外への取り出しが容易に行えるようになる。なお、上記仕切り板１６は、３枚に限らず、２枚或いは４枚の分割板部１６ａで構成することができる。また、折り畳みの他、捲回可能な構成や分解・再組み立て可能な構成とすることもできる。また、上記階段１や上記空調機２への取り付けは、フックや磁石に限らず、面ファスナーなどを利用して行ってもよい。また、引っ掛けによる上記仕切り板１６の設置に限らず、可動に設けた脚部によって上記仕切り板１６をテーブルのように設置することもできる。
【００２８】
また、図１に示した屋内空調システムでは、空調機２を階段１から幾分離れた箇所に配置したが、空調機２を階段１に極力近づけて配置してもよい。
【００２９】
また、上記の例では、空気入口１２や空気出口１３を階段１の蹴込み板１１に設けたが、空気入口１２や空気出口１３を階段１の踏み板に設けてもよく、また、空気入口１２と空気出口１３の一方を蹴込み板１１に設け、他方を踏み板に設ける構造としてもよい。なお、上記踏み板には踊り場が含まれる。また、上記踏み板に形成された空気入口および空気出口についても、当該踏み板に形成された開口および視線上の障壁となる板部からなっていてもよい。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１      階段
１０    システム使用空間
１１    蹴込み板
１１１  開口板
１１１ａ開口
１１２  遮り板
１１３  開口板
１１３ａ開口
１１４  遮り板
１２    空気入口
１３    空気出口
１４    第１の空間
１５    第２の空間
１６    仕切り板
２      空調機
【図１】
2014136905.tif 000003
【図２】
2014136905.tif 000004
【図３】
2014136905.tif 000005
【図４】
2014136905.tif 000006
【図５】
2014136905.tif 000007
【図６】
2014136905.tif 000008
【図７】
2014136905.tif 000009